(57)【要約】【課題】  切断材に対して切断機本体を左右に傾斜させていわゆる傾斜切り可能な丸鋸盤において、従来目的の傾斜位置に位置決め場合に使用者が重い切断機本体を直接微動させていたので、精確な位置決めを楽に行うことができなかった。本発明では、切断機本体の傾斜位置を精確かつ楽に位置決めできる傾斜位置決め機構を提供する。【解決手段】  テーブル側の傾動支持ベース１１と切断機本体側の傾動ベース１２との間に中間ベース２１を相対回転可能に挟み込み、この中間ベース２１を  固定ねじ２３で傾動ベース１２側に固定した状態で位置決めねじ２２を傾動支持ベース１１に当接させて切断機本体の傾斜位置を位置決めする構成とする。【選択図】        図３
2006044044.tif 000002
【特許請求の範囲】
【請求項１】
鋸刃を備えた切断機本体と、切断材を載置するテーブルと、該テーブルに対して前記切断機本体を直角位置と傾斜位置との間で傾動可能に支持する傾動支持部を備え、該傾動支持部は、前記テーブル側に設けた傾動支持ベースと、前記切断機本体側に設けられ、前記傾動支持ベースに対して回転可能に連結された傾動ベースと、該傾動ベースを前記傾動支持ベースに対して回転不能に固定するための固定レバーと、前記傾動支持ベースに対する前記傾動ベースの回転範囲を規制して前記切断機本体を直角位置と固定傾斜位置とに位置決めするための固定傾斜位置決め機構を備えた切断機における傾斜位置決め機構であって、
前記傾動支持部は、前記固定傾斜位置決め機構に加えて、前記切断機本体を前記直角位置と前記固定傾斜位置との間の任意の傾斜角度の中間傾斜位置に位置決めするための中間傾斜位置決め機構を備え、
該中間傾斜位置決め機構は、前記傾動支持ベースと前記傾動ベースの双方に対して同軸で回動可能な中間ベースを備え、該中間ベースに、前記傾動支持ベース若しくは前記傾動ベースの一方に対して相対回転不能に固定する固定部材と、他方に当接させて当該中間ベースの前記他方に対する回動端を規制する位置決め部材を設けた構成とした傾斜位置決め機構。
【請求項２】
請求項１記載の傾斜位置決め機構であって、前記中間ベースに、固定部材としての固定ねじを挿通させるガイド孔を設け、該ガイド孔に挿通した前記固定ねじを前記傾動ベースに締め込んで、当該中間ベースを前記傾動ベースに対して任意の角度で回動不能に固定可能とする一方、前記中間ベースに設けた位置決め部材としての位置決めねじを前記傾動支持ベースに当接させて前記中間ベースの前記傾動支持ベースに対する回動端を規制して、前記傾動ベースを前記傾動支持ベースに対して任意の角度に位置決め可能な構成とした傾斜位置決め機構。
【請求項３】
請求項２記載の傾斜位置決め機構であって、中間ベースに対する位置決めねじの締め込み量を調整して、該位置決めねじの傾動支持ベースに対する当接位置を微調整可能な構成とした傾斜位置決め機構。
【請求項４】
鋸刃を備えた切断機本体と、切断材を載置するテーブルと、該テーブルに対して前記切断機本体を直角位置と傾斜位置との間で傾動可能に支持する傾動支持部を備え、該傾動支持部は、前記テーブル側に設けた傾動支持ベースと、前記切断機本体側に設けられ、前記傾動支持ベースに対して回転可能に連結された傾動ベースと、該傾動ベースを前記傾動支持ベースに対して回転不能に固定するための固定レバーと、前記傾動支持ベースに対する前記傾動ベースの回転範囲を規制して前記切断機本体を直角位置と固定傾斜位置とに位置決めするための固定傾斜位置決め機構を備えた切断機における傾斜位置決め機構であって、
前記傾動支持部は、前記固定傾斜位置決め機構に加えて、前記切断機本体を前記直角位置と前記固定傾斜位置との間の中間傾斜位置で位置決めする場合における当該切断機本体の傾斜角度を微調整するための微調整機構を備えた傾斜位置決め機構。
【請求項５】
請求項４記載の傾斜位置決め機構であって、前記微調整機構は、前記傾動支持ベースと前記傾動ベースの双方に対して同軸で回転可能な中間ベースを備え、該中間ベースは、傾動ブロックと固定ねじを備え、該固定ねじの締め付けにより前記傾動支持ベースに対して固定可能であるとともに、前記傾動ベースに軸方向移動不能かつ回転可能に設けた微調整ねじを前記傾動ブロックにねじ込んで、該微調整ねじの回転操作による前記傾動ブロックに対するねじ込み量の調整により、前記傾動支持ベースに対する前記傾動ベースの回転位置を調整して前記中間傾斜位置を微調整可能な構成とした傾斜位置決め機構。
【発明の詳細な説明】
【技術分野】
【０００１】
この発明は、円形の鋸刃を回転させて木材等の切断材を切断する切断機において、鋸刃を備えた切断機本体を切断材に対して斜めに傾斜させていわゆる傾斜切りを行う場合における切断機本体の傾斜位置決め機構に関する。
なお、この明細書において、切断機本体を傾斜させる方向は、切断方向に対して左側または右側をいうものとする。
【背景技術】
【０００２】
従来、例えば特許第２６９４４３２号公報に開示されているように切断機において、切断機本体の鋸刃を、切断材を載置するテーブルの上面に対して直交させた直角位置の他、例えば左右４５°に傾斜させた傾斜位置に位置決め固定するための傾斜位置決め機構に関する技術が提供されている。
また、特開２００３−２４５９０１号公報には、直角位置および片側４５°傾斜位置に加えて例えば４５°傾斜とは反対方向に５°程度の僅かな角度だけ傾斜させた位置に位置決めする機構について開示されている。
【特許文献１】特許第２６９４４３２号公報
【特許文献２】特開２００３−２４５９０１号公報
【発明の開示】
【発明が解決しようとする課題】
【０００３】
このように、従来の傾斜位置決め機構は、直角位置の他、４５°傾斜位置といったように比較的使用頻度の高い傾斜角度について位置決めする機能を備えたもので、その位置決め可能な傾斜角度は固定されたものであった。
このため、従来直角位置と例えば４５°に固定された傾斜位置との間の任意の傾斜角度（以下、中間傾斜角度または中間傾斜位置という）で傾斜切りを行う場合には、使用者が固定レバーを緩めて切断機本体を傾動可能な状態とし、この状態で角度目盛りを確認しながら切断機本体を目的の中間傾斜角度まで傾動させ、この中間傾斜角度で切断機本体を保持しつつ固定レバーを締め付けて当該切断機本体を中間傾斜位置を固定していた。
ところが、従来この中間傾斜位置については、特別の位置決め機構を備えていないため、切断機本体を精確に中間傾斜位置に固定するためには使用者が固定レバーを締め付けたり、緩めたりしながら重い切断機本体を傾動方向に微動させる必要があり、この微調整作業が面倒であるばかりでなく、実際には切断機本体を精確に中間傾斜位置に位置決めすることは困難であった。
本発明は、この問題に鑑みなされたもので、切断機本体を中間傾斜位置に楽に位置決めすることができる傾斜位置決め機構を提供することを目的とする。
【課題を解決するための手段】
【０００４】
このため、本発明は特許請求の範囲の各請求項に記載した構成の傾斜位置決め機構とした。
請求項１記載の傾斜位置決め機構によれば、固定レバーを緩めて傾動支持ベースに対して傾動ベースを回転可能な状態とし、かつ固定部材を緩めて中間ベースが傾動ベース若しくは傾動支持ベースの一方に対して相対回転可能な状態とすることにより、切断機本体を予め設定された直角位置と例えば４５°傾斜位置（以下、固定傾斜位置という）に位置決めすることができる。切断機本体を直角位置若しくは固定傾斜位置に位置決めした後、固定レバーを締め付けることにより切断機本体が直角位置若しくは固定傾斜位置に固定され、これにより直角切り若しくは例えば４５°傾斜切りを行うことができる。
切断機本体を直角位置と固定傾斜位置との間の任意の傾斜角度（以下、中間傾斜位置という）に位置決め固定する場合には、先ず固定レバーを緩めて傾動ベースを傾動支持ベースに対して相対回転可能な状態とし、さらに固定部材を緩めて中間ベースを傾動ベースおよび傾動支持ベースの双方に対して相対回転可能な状態とする。この状態で、例えば角度目盛りを確認しながら切断機本体を目的の中間傾斜角度まで傾動させる。この中間傾斜角度に切断機本体を保持しつつ固定部材を締め付けて中間ベースを傾動ベース若しくは傾動支持ベースの一方に対して相対回転不能に固定するとともに、位置決め部材を他方に当接させる。以上で切断機本体を中間傾斜位置に位置決め可能な状態となり、従って固定傾斜角度がより傾斜角度が小さな中間傾斜角度に規制された状態となる。こうして中間傾斜角度の設定が完了した後、固定レバーを締め込めば、切断機本体がこの中間傾斜位置に固定され、当該中間傾斜角度で傾斜切りを行うことができる。
【０００５】
中間傾斜位置での傾斜切り後、再び直角切りを行う場合には、固定レバーを緩めて切断機本体を直角位置まで傾動させれば切断機本体がこの直角位置で位置決めされるので、その後固定レバーを締め込んで切断機本体をこの直角位置に固定することができる。その後再び切断機本体を中間傾斜位置での傾斜切りを行う場合、固定レバーを緩めて、切断機本体を傾動させれば、切断機本体は固定傾斜角度の手前で位置決め部材が傾動ベース若しくは傾動支持ベースの他方に当接されることにより中間傾斜位置に位置決めされる。このように位置決め部材が当接されることにより中間傾斜位置に位置決めされることから、切断機本体の中間傾斜位置への位置決めが繰り返し精度よくなされる。
中間傾斜位置決め機構による中間傾斜位置を解除して切断機本体を固定傾斜位置まで傾斜させるには、固定部材を緩めて中間ベースを傾動ベースおよび傾動支持ベースの双方に対して相対回転可能な状態とすればよい。これにより当該中間傾斜位置決め機構により設定された中間傾斜位置はキャンセルされる。
以上説明したように、請求項１記載の傾斜位置決め機構によれば、切断機本体を目的の傾斜切り角度で保持した状態で中間ベースを固定して位置決め部材を当接させることにより当該切断機本体を直角位置と固定傾斜位置との間の任意の傾斜角度（中間傾斜角度）を設定することができ、一旦設定した後には、この中間傾斜位置を繰り返し高い精度で位置決めすることができるので、様々な傾斜角度の傾斜切り加工を高精度で行うことができるようになる。
【０００６】
請求項２記載の傾斜位置決め機構によれば、傾動ベースに対して固定ねじを締め込むことにより中間ベースが傾動ベースに対して任意の角度（相対回転位置）で固定され、これにより位置決めされる中間傾斜角度が設定される。切断機本体を傾斜させてストッパねじを傾動支持ベースに当接させることにより、切断機本体が中間傾斜角度で位置決めされる。中間ベースを介して傾動ベース側に固定されたストッパねじを傾動支持ベースに当接させて切断機本体の傾斜角度を位置決めする構成であるので、切断機本体の中間傾斜角度を繰り返し高精度で再現することができ、これによりばらつきのない角度で傾斜切りを行うことができる。
請求項３記載の傾斜位置決め機構によれば、ストッパねじを傾動支持ベースに当接させて切断機本体の中間傾斜角度を設定できることに加えて、当該ストッパねじの締め込み量を調整することにより、この中間傾斜位置を微調整することができる。
【０００７】
請求項４記載の傾斜位置決め機構によれば、切断機本体の中間傾斜位置を微調整機構により微調整することができるので、使用者が切断機本体を直接微動させて微調整する必要がなく、従って当該切断機本体を迅速かつ楽に中間傾斜位置に位置決めすることができる。
請求項５記載の傾斜位置決め機構によれば、固定レバーと固定ねじを緩めた状態で切断機本体を直角位置と固定傾斜位置との間の範囲で傾動させることができる。この状態では、固定傾斜位置決め機構により切断機本体が直角位置若しくは固定傾斜位置に位置決めされる。切断機本体を中間傾斜位置に位置決めする場合には、固定レバーおよび固定ねじを緩めた状態で、切断機本体を中間傾斜位置まで傾動させ、然る後固定ねじを締め付けて、中間ベースを傾動支持ベースに対して回転不能に固定する。この状態で微調整ねじを回転させることにより傾動ベースひいては切断機本体を直角位置側または固定傾斜位置側に変位させることができ、これにより切断機本体の中間傾斜位置を微調整することができる。
このように、請求項５記載の傾斜位置決め機構によれば、微調整ねじを回転操作することにより切断機本体に中間傾斜位置の微調整を行うことができるので、使用者が切断機本体を直接微動させながら位置調整する場合に比して精確かつ楽に切断機本体を中間傾斜位置に位置決めすることができる。
【発明を実施するための最良の形態】
【０００８】
次に、本発明の実施形態を図１〜図９に基づいて説明する。図１および図２は、第１実施形態の傾斜位置決め機構４０を備えた切断機１を示している。この第１実施形態は、特許請求の範囲の請求項１〜３に記載した発明の実施形態に相当する。
この切断機１は、卓上型の切断機で、ベース２と、ベース２上に回転可能に支持されたテーブル３と、テーブル３の上方に位置する切断機本体５０を備えている。テーブル３の上面側に切断材Ｗが載置される。切断材Ｗは、図示省略したクランプ装置により一定位置に固定される。また、図２に示すようにベース２の、テーブル３の左右側部に位置する台座部２ａ，２ａには切断材位置決め用のフェンス４がテーブル３の上方を跨って取り付けられている。テーブル３の上面とベース２の台座部２ａ，２ａの上面は相互に面一に設定されている。
テーブル３の後部（図１において左端部）には、相互に平行な２本の下側スライドバー５，５を介して傾動支持部１０が取り付けられている。下側スライドバー５，５はそれぞれ軸受け６を介して図１において左右方向にスライド可能に支持されている。両下側スライドバー５，５のスライド位置は、テーブル３の後部に設けた固定ねじ７を締め込むことにより固定される。
傾動支持部１０の上部には、スライド支持部１６が一体に設けられている。このスライド支持部１６には軸受け１７、１７を介して相互に平行な２本の上側スライドバー１８，１８がその軸方向にスライド可能に支持されている。図２に示すようにスライド支持部１６の側部に固定ねじ１９が取り付けられている。この固定ねじ１９を締め込むと両上側スライドバー１８，１８がスライド不能に固定される。この２本の上側スライドバー１８，１８の先端側に切断機本体５０が上下に傾動可能に取り付けられている。
切断機本体５０は、円形の鋸刃５１とこれを回転させるための駆動モータ５２と、作業者が当該切断機本体５０を移動操作（主として上下動操作、前後動操作）する際に把持するためのハンドル部５３を備えている。鋸刃５１の上側ほぼ半分はブレードケース５４内に収容されている。鋸刃５１の下側ほぼ半分に対してセーフティカバー５５が開閉可能に設けられている。このセーフティカバー５５は、当該切断機本体１の傾動動作に連動して開閉される。
【０００９】
上記傾動支持部１０を介してテーブル３の後部に切断機本体５０が左右に傾動可能に支持されている。この傾動支持部１０に、傾斜位置決め機構４０が組み込まれている。本例の傾斜位置決め機構４０は、切断機本体５０を直角位置と４５°傾斜位置（固定傾斜位置）に位置決めするための固定傾斜位置決め機構３０と、固定傾斜角度よりも小さな傾斜角度に位置決めするための中間傾斜位置決め機構２０を備えている。図５には、傾動支持部１０の内部構造が示されている。但し、図５では、固定傾斜位置決め機構３０の図示が省略されている。固定傾斜位置決め機構３０の詳細は図６に示されている。
先ず、図５に示すように傾動支持部１０は、下側スライドバー５，５に固定された傾動支持ベース１１と、切断機本体５０側に設けられて、この傾動支持ベース１１に対して回動可能に連結された傾動ベース１２を備えている。傾動支持ベース１１と傾動ベース１２との間には傾動軸１３が貫通して取り付けられている。この傾動軸１３を中心にして傾動ベース１２が傾動支持ベース１１に対して一定角度範囲で回動する。
図示するように傾動支持ベース１１と傾動ベース１２は、それぞれ椀形を有しており、それぞれの口元１１ｇ，１２ａが傾動軸１３を中心とする円形に形成されて相互に嵌め合わされている。
この傾動軸１３の後端部（図５において左端部）にはロックナット１４を介して固定レバー１５が取り付けられている。この固定レバー１５を緩み方向に回転させると、ロックナット１４が傾動軸１３のねじ部１３ａに対して緩められて傾動ベース１２が傾動支持ベース１１に対して回動可能となる。固定レバー１５を固定方向に回動操作すると、ロックナット１４が傾動軸１３のねじ部１３ａに対して締め付けられ、これにより傾動ベース１２が傾動支持ベース１１に対して回転不能に固定される。
【００１０】
固定傾斜位置決め機構３０は、前記従来の傾斜位置決め機構と同様の構成を備えており、切断機本体５０を直角位置と左側（図６において矢印Ｂ方向）および右側（図６において矢印Ａ方向）へ４５°傾斜させた位置に位置決めする機能を備えている。
この固定傾斜位置決め機構３０は、図６に示すように傾動支持ベース１１側の３本のストッパボルト３１，３２，３３と、傾動ベース１２側のストッパ突起３４を備えている。各ストッパボルト３１，３２，３３は、傾動支持ベース１１の周方向三等分位置においてそれぞれ外周側から内方に向けて弦方向に沿ってねじ込まれており、それぞれ先端部が傾動支持ベース１１の内周側に突き出されている。各ストッパボルト３１，３２，３３のねじ込み量はそれぞれ調整することができる。
図６において下側の２本のストッパボルト３２，３３間にストッパ突起３４が進入している。このストッパ突起３４は、傾動ベース１２の下部内側から傾動支持ベース１１の内側に向けて延びている。切断機本体５０を直角位置に位置させると、このストッパ突起３４が両ストッパボルト３２，３３のほぼ中央に位置する。切断機本体５０を使用者から見て（図６は、固定傾斜位置決め機構３０を使用者側から見ている）左側（矢印Ｂ方向）に４５°傾動させるとストッパ突起３４が図示右側のストッパボルト３３の先端に当接し、これにより切断機本体５０が左側へ４５°傾斜した固定傾斜位置に位置決めされる。一方、切断機本体５０を使用者から見て右側（矢印Ａ方向）に４５°傾動させるとストッパ突起３４が図示左側のストッパボルト３２の先端に当接し、これにより切断機本体５０が右側へ４５°傾斜した固定傾斜位置に位置決めされる。両傾斜位置は、ストッパボルト３２，３３の傾動支持ベース１１に対するねじ込み量を調整することにより微調整することができる。
切断機本体５０を直角位置（図６において実線で示す位置）に位置させると、図６において上側のストッパボルト３１に切り換えブロック３５が当接し、これにより切断機本体５０が直角位置に位置決めされる。この切り換えブロック３５は、傾動ベース１２の内側に設けられている。この切り換えブロック３５は、支軸３６を介して上下に傾動可能に支持されている。この切り換えブロック３５は、図６中実線で示したロック位置と二点鎖線で示したアンロック位置との間を移動可能であり、支軸３６回りに装着した捩りばね３８によりロック位置側に付勢されている。この切り換えブロック３５は、同じく傾動ベース１２に設けた操作ボタン３７を図６において二点鎖線で示す押し込み位置まで押し込み操作することにより、捩りばね３８に抗してアンロック位置に移動させることができる。操作ボタン３７の押し込み操作を止めると、切り換えブロック３５が捩りばね３８によりロック位置に戻されることにより、図中実線で示す非操作位置に戻される。
【００１１】
操作ボタン３７を押し込み操作しない非操作状態では、切り換えブロック３５が図中実線で示すロック位置に位置している。この切り換えブロック３５にストッパボルト３１の先端が当接することにより切断機本体５０が直角位置に位置決めされる。図６は、切断機本体５０がこの直角位置に位置決めされた状態を示している。ストッパボルト３１のねじ込み量を調整することにより直角位置を微調整することができる。また、操作ボタン３７の非操作状態では、前記固定レバー１５を緩めることにより切断機本体５０を直角位置（ストッパボルト３１に切り換えブロック３５が当接した位置）と右側へ４５°傾斜させた位置（ストッパボルト３３にストッパ突起３４が当接した位置）との間で傾動させることができる。
操作ボタン３７を押し込み操作して切り換えブロック３５をアンロック位置に移動させると、切断機本体５０を使用者から見て左側に傾動させることができる。ストッパボルト３２にストッパ突起３４が当接するまで切断機本体５０を傾動させると、当該切断機本体５０を左側４５°の傾斜位置に位置決めすることができる。上記直角位置、左右４５°傾斜位置に位置決めされた後、固定レバー１５を固定側に締め込むことにより切断機本体５０が各位置に固定される。
なお、傾動軸１３の周囲には捩りばね３９が介装されている。この捩りばね３９の両端部３９ａ，３９ｂ間に、傾動支持ベース１１の内周面に設けた係合突部１１ｂが位置している。また、上記したストッパ突起３４が、捩りばね３９の両端部３９ａ，３９ｂ間に進入している。このため、切断機本体５０の右側または左側へ傾動させると、捩りばね３９の一方の端部３９ａ（３９ｂ）がストッパ突起３４により移動される一方、他方の端部３９ｂ（３９ａ）が係合突部１１ｂに係合されることから、当該切断機本体５０の傾動動作はこの捩りばね３９に抗してなされ、かつこの捩りばね３９により切断機本体５０は直角位置側に付勢されている。
切断機本体５０の傾斜角度は、指針が指し示す角度目盛りを読みとることにより確認することができる。図示は省略したが、角度目盛りは、傾動支持ベース１１の上面に貼り付けられている。一方、傾動ベース１２の口元外周側には指針がこの角度目盛り側に突き出されている。使用者は、指針が指し示す角度目盛りの表示を読みとることにより切断機本体５０の傾斜角度を認識することができる。
【００１２】
次に、本例の中間傾斜位置決め機構２０の詳細が図３および図４に示されている。この中間傾斜位置決め機構２０は、上記説明した固定傾斜位置決め機構３０による直角位置と４５°傾斜位置とに位置決めする機能に加えて、傾斜角度４５°よりも小さな任意の傾斜角度に切断機本体５０を位置決めするための機能を備えている。
この中間傾斜位置決め機構２０は、概ね円環形状をなす中間ベース２１を備えている。この中間ベース２１は、その内周側に傾動支持ベース１１の口元１１ｇを径方向にガタツキなく挿入した状態で、当該口元１１ｇと傾動ベース１２の口元１２ａとの間に挟み込まれて、その軸線方向にガタツキのない状態に支持されている。これにより、中間ベース２１は、傾動支持ベース１１および傾動ベース１２の双方に対して独立して回転可能に支持されている。
この中間ベース２１の外周側は、傾動支持ベース１１および傾動ベース１２の外周からはみ出している。このはみ出し部分の上部側にガイド孔２１ａが設けられている。このガイド孔２１ａは、傾動軸１３を中心とする円弧に沿って一定角度の範囲にわたる長溝孔形状に形成されている。このガイド孔２１ａには固定ねじ２３の先端側が挿通されている。固定ねじ２３にはスリーブ２４が装着されている。スリーブ２４の外径は、ガイド孔２１ａの幅よりも太くなっている。この固定ねじ２３の先端側は傾動ベース１２の前面にねじ込まれている。この固定ねじ２３を強固に締め込むと中間ベース２１が傾動ベース１２に対して回転不能に固定される。
固定ねじ２３を緩めると、中間ベース２１は傾動ベース１２に対して回転可能となる。中間ベース２１は、ガイド孔２１ａ内において固定ねじ２３が相対移動し得る範囲で傾動ベース１２に対して回転させることができる。従って、この範囲で中間ベース２１の傾動ベース１２に対する回転方向の位置を任意に設定することができる。
中間ベース２１のはみ出し部分の一方の側部（図４において左側部）には、ブロック体形状をなす保持ブロック部２１ｂが設けられている。この保持ブロック部２１ｂには、ストッパねじ２２がねじ込まれている。このストッパねじ２２の先端が、傾動支持ベース１１の側部であって、一方（使用者から見て左側）のスライドバー５の後端部を保持する円筒形状のホルダ部１１ａの側部に向けられている。
固定ねじ２３を締め込んで中間ベース２１を傾動ベース１２に対して相対回転不能に固定し、この固定状態で切断機本体５０を左方に傾斜させると、ストッパねじ２２の先端が使用者から見て左側のホルダ部１１ａの側部に当接し、これにより切断機本体５０の左側への傾斜位置であって、固定傾斜角度４５°よりも小さな任意の傾斜角度に位置決めされる。
【００１３】
以上のように構成した傾斜位置決め機構４０によれば、切断機本体５０を、固定傾斜位置決め機構３０により直角位置と左側または右側へ４５°傾斜させた固定傾斜位置に位置決めすることができるとともに、中間傾斜位置決め機構２０により４５°よりも小さな傾斜角度であって任意の傾斜角度（中間傾斜位置）に繰り返し高精度で位置決めすることができる。
先ず、固定傾斜位置決め機構３０により切断機本体５０を直角切り位置から左側４５°傾斜位置に傾斜させるには、固定レバー１５を緩めて、傾動ベース１２が傾動支持ベース１１に対して回転可能な状態とする。これとともに、中間傾斜位置決め機構２０における固定ねじ２３を緩めて中間ベース２１を傾動ベース１２および傾動支持ベース１１に対して相対回転可能な状態（フリー状態）とする。この状態で、押しボタン３７を押し込み操作しつつ、切断機本体５０を使用者から見て左側へ４５°傾斜させると、ストッパボルト３３にストッパ突起３４が当接し、これにより切断機本体５０が左側４５°傾斜位置に位置決めされる。この左側４５°傾斜位置を保持しつつ、固定レバー１５を締め付ければ切断機本体５０がこの左側４５°傾斜位置に固定される。切断機本体５０を使用者から見て右側４５°傾斜位置に移動させる場合には、同じく固定レバー１５を緩めた状態で切断機本体５０をストッパボルト３２にストッパ突起３４が当接するまで傾動させ、その後固定レバー１５を締め付ければよい。
【００１４】
次に、中間傾斜位置決め機構２０により、切断機本体５０を４５°よりも小さな傾斜角度であって任意の傾斜角度（本例の場合左側へ例えば３０°）で位置決めする場合には、固定レバー１５を緩めて、傾動ベース１２が傾動支持ベース１１に対して回転可能な状態とする。この状態では、切断機本体５０を使用者が手操作で傾動させることができる。この状態で、切断機本体５０を目的の傾斜角度まで手操作で傾動させる。目的の傾斜角度は、従来通り、指針が指し示す角度目盛りを読みとって確認することができる。
切断機本体５０を目的の傾斜角度に保持しつつ、中間ベース２１を回転させて、ストッパねじ２２の先端を傾動支持ベース１１のホルダ部１１ａの側面に当接させ、この当接状態を保持しつつ、固定ねじ２３を強固に締め込む。これにより中間ベース２１が傾動ベース１２に固定される。この段階で、ストッパねじ２２を締め込み方向あるいは緩め方向に適度な角度回転させて、切断機本体５０の傾斜角度を精確に微調整することができる。その後、固定レバー１５を強固に締め付ければ、切断機本体５０がこの傾斜位置に固定される。
また、当該中間傾斜位置決め機構２０により左側へ３０°傾斜させた状態で切断加工を行った後、再び直角切りを行うには、固定レバー１５を一旦緩めて切断機本体５０を直角位置側に戻させば、ストッパボルト３１の先端に切り換えブロック３５が当接して切断機本体５０が直角位置に位置決めされる。その後、固定レバー１５を締め付ければ切断機本体５０が直角位置に固定される。
【００１５】
その後、再度切断機本体５０を左側へ３０°傾斜させるには、固定レバー１５を一旦緩めて切断機本体５０を左側へ傾動させれば、ストッパボルト３３にストッパ突起３４が当接する手前で、ストッパねじ２２がホルダ部１１ａの側部に当接して切断機本体５０が左側へ３０°傾斜した位置に位置決めされる。その後、固定レバー１５を締め込めば切断機本体５０がこの傾斜位置に固定される。
このように、中間ベース２１の傾動ベース１２に対する位置を一旦設定しておけば、その後当該傾斜角度に繰り返し高精度で位置決めすることができる。
上記のようにして一旦設定した中間傾斜角度を変更する場合は、固定レバー１５を緩めて、切断機本体５０を左右へ傾動可能な状態とする。また、固定ねじ２３を緩めて中間ベース２１を傾動ベース１２に対して回転可能なフリー状態とする。この状態で、切断機本体５０を目的の傾斜角度まで傾動させ、かつストッパねじ２２の先端が傾動支持ベース１１のホルダ部１１ａの側部に当接した状態とする。この段階で、ストッパねじ２２を締め込み方向あるいは緩め方向に適度な角度回転させて、切断機本体５０の中間傾斜角度を微調整することができ、これにより切断機本体５０の中間傾斜角度を目的の傾斜角度に対して正確に設定することができる。この状態を保持しつつ固定ねじ２３を強固に締め付けて中間ベース２１を傾動ベース１２に対して固定すれば、当該中間傾斜位置決め機構２０が目的とする別の傾斜角度に設定される。
このように、ストッパねじ２２が当接されることにより位置決めされる切断機本体５０の中間傾斜角度は、上記例示した中間傾斜位置決め機構２０により一定の範囲で任意に変更することができる。
以上説明したように、本実施形態の中間傾斜位置決め機構２０によれば、傾動ベース１２に対する中間ベース２１の回転位置を適切に設定することにより、切断機本体５０を直角位置と固定傾斜位置との間の傾斜角度（中間傾斜位置）に繰り返し精度よく楽に位置決めすることができるので、従来に比して当該中間傾斜角度による切断加工を迅速かつ高精度で行うことができる。
しかも、この中間傾斜位置は、中間ベース２１の傾動ベース１２に対する回転位置を変更することにより簡単に変更することができ、これにより当該切断機１の使い勝手および汎用性を一層高めることができる。
【００１６】
以上説明した第１実施形態には種々変更を加えることができる。例えば、中間ベースの外周側であって使用者から見て左側にストッパねじ２２を設ける構成を例示したが、反対側（右側）に設ける構成、あるいは左右両側にストッパねじを設ける構成としてもよい。右側に設けたストッパねじを傾動支持ベース１１の右側のホルダ部１１ａに当接させることにより、切断機本体５０の右側への中間傾斜位置を位置決めすることができる。
また、ストッパねじ２２は、その締め込み量を調整することにより中間傾斜位置を微調整することができる構成を例示したが、このストッパねじ２２に代えて位置決めピンあるいは位置決め凸部をホルダ部１１ａに当接させる構成としてもよい。
さらに、固定傾斜位置決め機構２０の固定傾斜角度は４５°に限らず、例えば３０°等その他の傾斜角度に設定しておくこともできる。
また、固定ねじ２３を締め込んで中間ベース２１を傾動ベース１２側に固定する構成を例示したが、逆に傾動支持ベース１１側に固定する構成としてもよい。この場合、ストッパねじに対して傾動ベース１１の所定部位が当接されるされることにより、切断機本体５０の中間傾斜位置が位置決めされる。
【００１７】
以上説明した傾斜位置決め機構４０は請求項１〜３記載の発明の実施形態（第１実施形態）に相当する。次に説明する傾斜位置決め機構４１は、前記第１実施形態の中間傾斜位置決め機構２０に代えて微調整機構６０を備えた構成を有している。この傾斜位置決め機構４１が、請求項４，５に記載した発明の実施形態（第２実施形態）に相当する。この第２実施形態に係る傾斜位置決め機構４１によっても第１実施形態の傾斜位置決め機構４０と同様、切断機本体５０を中間傾斜位置に精確かつ容易に位置決めすることができる。なお、固定傾斜位置決め機構３０については第１実施形態と同様の構成を備えている。従って、第１実施形態と同様の部材、構成等であって特に変更を要しないものについては同位の符号を用いてその説明を省略する。
図７〜図９には、第２実施形態の微調整機構６０を備えた傾動支持部６１が示されている。固定傾斜位置決め機構３０については図示が省略されている。テーブル３側の傾動支持ベース１１と、切断機本体５０側の傾動ベース１２との間には中間ベース６２が第１実施形態と同様傾動軸１３回りに回転自在かつ軸方向に変位不能に挟み込まれている。図８に示すようにこの中間ベース６２は、第１実施形態と同様ほぼ円環形状を有するもので、その上部には支持ピン６３を介して円柱体形状の傾動ブロック６４が取り付けられている。また、中間ベース６２の下部には円弧形状のガイド孔６２ａが形成されている。
傾動ブロック６４は、支持ピン６３の軸回りに傾動可能に支持されている。この傾動ブロック６４にはねじ孔６４ａが径方向に貫通して形成されている。このねじ孔６４ａには、微調整ねじ６５の先端部がねじ込まれている。
【００１８】
図９に示すように微調整ねじ６５は、傾動ベース１２の壁部１２ｂに設けた挿通孔１２ｃを経てその頭部が傾動ベース１２の使用者から見て右側（図９では左側）の側部に突き出されている。突き出された頭部には、当該微調整ねじ６５のねじ込み操作を容易にするための大型のつまみ７２が取り付けられている。また、壁部１２ｂの外側と内側において、微調整ねじ６５にはそれぞれ座金６７が装着されている。この二つの座金６７，６７間に、傾動ベース１２の壁部１２ｂを位置させ、さらに内側の座金６７の内側に止め輪６６が装着されて当該微調整ねじ６５は、壁部１２ｂに対して回転自在である一方、軸方向へは変位しないようになっている。また、挿通孔１２ｃは、微調整ねじ６５の径よりも十分に大きな径で形成されている。このため、微調整ねじ６５の径方向への傾きが一定の範囲で許容されるようになっている。
このように設けられた微調整ねじ６５を傾動ブロック部６４のねじ孔６４ａに対して締め込み方向に回転させると、当該微調整ねじ６５が軸方向へは移動不能であり、かつ後述するように中間ベース６２を傾動支持ベース１１に回転不能に固定した状態とすることにより、傾動ベース１２ひいては切断機本体５０が図９において時計回り方向（図８において矢印Ｂ方向）に傾動し、これにより切断機本体５０の中間傾斜位置の微調整を行うことができる。これとは逆に微調整ねじ６５をねじ孔６４ａに対して緩め方向に回転させると、切断機本体５０が図９において反時計回り方向（図８において矢印Ａ方向）に傾動する。切断機本体５０の傾動角度（微調整角度）は、微調整ねじ６５の回転量に応じて変化させることができる。
【００１９】
次に、中間ベース６２の下部に設けたガイド孔６２ａには、固定ねじ６８の先端側が挿通されている。この固定ねじ６８は、スリーブ６９の内周側に挿通されている。この固定ねじ６８のスリーブ６９から突き出された先端部が傾動支持ベース１１の下部に設けたねじ孔１１ｃにねじ込まれている。この固定ねじ６８の頭部にも、その回転操作を容易にするための大型のつまみ６８ａが取り付けられている。この固定ねじ６８を締め込めば、中間ベース６２の下部が、スリーブ６９と傾動支持ベース１１との間に挟み込まれて、当該中間ベース６２が傾動支持ベース１１に対して回転不能に固定される。固定ねじ６８を緩めると、中間ベース６２は、ガイド孔６２ａ内を固定ねじ６８が相対的に移動可能な範囲で傾動支持ベース１１に対して回転可能となる。
傾動ベース１２の使用者から見て正面側の上部には、傾斜角度を表示するための角度目盛り７０が貼り付けられている。一方、傾動支持ベース１１の上部には、角度目盛り７０を指し示す指針７１が取り付けられている。傾動支持ベース１１に対して傾動ベース１２を回転させて切断機本体５０を左側または右側に傾斜させた時に、この指針７１が指し示す角度目盛り７０の角度を読み取ることにより切断機本体５０の直角位置からの傾斜角度を確認することができる。
【００２０】
以上のように構成した第２実施形態の微調整機構６０によれば、以下の操作により切断機本体５０を直角位置と４５°傾斜位置との間の中間傾斜位置に精確かつ容易に位置決めすることができる。
先ず、固定レバー１５を緩め方向に回転操作して傾動ベース１２を傾動支持ベース１１に対して回転可能な状態とするとともに、固定ねじ６８を緩めて中間ベース６２が傾動支持ベース１１に対して回転可能な状態とする。これにより切断機本体５０が傾動可能な状態となる。切断機本体５０を使用者から見て右側（図８中矢印Ａ方向）へ４５°傾動させると、ストッパボルト３２にストッパ突起３４が当接して、切断機本体５０が右側４５°傾斜位置（固定傾斜位置）に位置決めされる。その後、固定レバー１５を締め付け方向に回転させれば、切断機本体５０がこの右側４５°傾斜位置に固定される。
一方、固定レバー１５および固定ねじ６８をそれぞれ緩めて、さらに押しボタン３７を押し操作した状態で切断機本体５０を左側（図８中矢印Ｂ方向）へ４５°傾動させると、ストッパボルト３３にストッパ突起３４が当接して、切断機本体５０が左側４５°傾斜位置（固定傾斜位置）に位置決めされる。その後、固定レバー１５を締め付け方向に回転させれば、切断機本体５０がこの左側４５°傾斜位置に固定される。固定レバー１５を緩めて切断機本体５０を右側若しくは左側へ４５°傾斜させた位置から直角位置へ傾動させると、ストッパボルト３１に切り換えブロック３５が当接することにより切断機本体５０が直角位置に位置決めされる。その後固定レバー１５を締め付ければ、切断機本体５０が直角位置に固定される。
【００２１】
切断機本体５０を直角位置と左側若しくは右側へ４５°傾斜させた固定傾斜位置との間の中間傾斜位置で固定する場合には、固定レバー１５を緩め方向に回転操作して傾動支持ベース１１に対して傾動ベース１２が回転可能な状態とするとともに、固定ねじ６８を緩めて中間ベース６２が傾動支持ベース１１に対して回転可能な状態とする。これにより切断機本体５０が左側または右側へ傾動可能な状態となる。切断機本体５０を左側または右側へ目的の中間傾斜位置まで傾動させる。目的の中間傾斜位置の傾斜角度は、指針７１が指し示す角度目盛り７０の角度を読みとることにより確認することができる。切断機本体５０を目的の中間傾斜位置まで傾斜させたならば、その傾斜位置を保持しつつ固定ねじ６８を締め込んで中間ベース６２を傾動支持ベース１１に対して回転不能に固定する。この段階では、固定レバー１５は緩めた状態のままとしておく。しかしながら、この段階では上記したように固定ねじ６８を締め付けて中間ベース６２を傾動支持ベース１１に対して固定することにより、間接的に傾動ベース１２が傾動支持ベース１１に対して回転不能に仮止めされた状態となっている。
次に、微調整ねじ６５を回転操作して、傾動ブロック体６４のねじ孔６４ａに対するねじ込み量を調整することにより傾動ベース１２を中間ベース６２ひいては傾動支持ベース１１に対して若干量回転させることができ、これにより切断機本体５０の中間傾斜位置の微調整を行うことができる。すなわち、上記したように微調整ねじ６５を傾動ブロック体６４のねじ孔６４ａに対して締め込むことにより、傾動ベース１２ひいては切断機本体５０を図８において矢印Ａ方向に変位させることができる。逆に、微調整ねじ６５を傾動ブロック体６４のねじ孔６４ａに対して緩め方向（反締め付け方向）に回転させることにより、傾動ベース１２ひいては切断機本体５０を図８において矢印Ａ方向に傾動させることができる。この場合、微調整ねじ６５のねじ孔６４ａに対するねじ込み力を利用して切断機本体５０を傾動させる構成であるので、使用者は小さな操作力で微調整ねじ６５を回転操作して、重い切断機本体５０を楽に微動させることができる。
切断機本体５０の中間傾斜位置の微調整が完了した後、固定レバー１５を締め付けて傾動ベース１２を傾動支持ベース１１に対して回転不能に固定すれば、切断機本体５０がこの中間傾斜位置に精度よく位置決めされる。この中間傾斜位置から切断機本体５０を直角位置等の別に位置に傾動させるには、固定レバー１５および固定ねじ６８をともに緩めれば足り、微調整ねじ６５はそのままにしておけばよい。
以上説明したように第２実施形態の微調整機構６０によっても、切断機本体５０の傾動位置について予め設定された直角位置と４５°傾斜位置との間の中間傾斜位置に当該切断機本体５０を精確かつ楽に位置決め（微調整）することができる。
【図面の簡単な説明】
【００２２】
【図１】本発明の第１実施形態に係る中間傾斜位置決め機構を備えた切断機の全体側面図である。
【図２】切断機を図１中矢印(2)方向から見た正面図である。
【図３】第１実施形態に係る中間傾斜位置決め機構および傾動支持部の側面図である。
【図４】第１実施形態に係る中間傾斜位置決め機構および傾動支持部の正面図である。
【図５】傾動支持部の縦断面図である。本図は、固定傾斜位置決め機構の図示が省略されている。
【図６】固定傾斜位置決め機構の正面図である。
【図７】第２実施形態の中間傾斜位置決め機構を備えた傾動支持部を側方から見た縦断面図である。
【図８】第２実施形態の中間傾斜位置決め機構を備えた傾動支持部を正面から見た縦断面図である。
【図９】第２実施形態の中間傾斜位置決め機構を備えた傾動支持部を図７中矢印(9)方向から見た後面図である。
【符号の説明】
【００２３】
１…切断機
５…スライドバー
１０…傾動支持部
１１…傾動支持ベース
１２…傾動ベース
１３…傾動軸
１５…固定レバー
２０…中間傾斜位置決め機構
２１…中間ベース（第１実施形態）
２２…微調整ねじ
２３…固定ねじ
３０…固定傾斜位置決め機構
３１…ストッパボルト（直角位置用）
３２…ストッパボルト（右側４５°傾斜位置用）
３３…ストッパボルト（左側４５°傾斜位置用）
３４…ストッパ突起
３５…切り換えブロック
４０…傾斜位置決め機構（第１実施形態）
４１…傾斜位置決め機構（第２実施形態）
５０…切断機本体
５２…駆動モータ
６０…微調整機構
６１…傾動支持部（第２実施形態）
６２…中間ベース、６２ａ…ガイド孔
６３…支持ピン
６４…傾動ブロック
【図１】
2006044044.tif 000003
【図２】
2006044044.tif 000004
【図３】
2006044044.tif 000005
【図４】
2006044044.tif 000006
【図５】
2006044044.tif 000007
【図６】
2006044044.tif 000008
【図７】
2006044044.tif 000009
【図８】
2006044044.tif 000010
【図９】
2006044044.tif 000011